(57)【要約】【課題】使用者に良好な清涼感を与えることができるとともに、製造容易且つ廉価なエアゾール容器用の押釦を得る。【解決手段】エアゾール容器のステムと連通する連通路3を設け、この連通路3と連通するエアゾール内容物の噴射孔5を、軸方向中央部に中子7を設けることにより環状の筒状に形成し、連通路3を介して噴射孔5からエアゾール内容物を環状に分散して噴射可能とする。【選択図】図１
2007330861.tif 000002
【特許請求の範囲】
【請求項１】
エアゾール容器のステムと連通する連通路を設け、この連通路と連通するエアゾール内容物の噴射孔を、軸方向中央部に中子を設けることにより環状の筒状に形成し、連通路を介して噴射孔からエアゾール内容物を環状に分散して噴射可能としたことを特徴とする人体用エアゾール容器の押釦。
【請求項２】
連通路と噴射孔との連通は、連通路と噴射孔との間に少なくとも１個の導入口を形成して行うことを特徴とする請求項１の人体用エアゾール容器の押釦。
【請求項３】
噴射孔は、内周面と中子の外周面との間隔を０．３ｍｍ〜１．０ｍｍとしたことを特徴とする請求項１の人体用エアゾール容器の押釦。
【請求項４】
エアゾール内容物は、噴射剤として使用される、液化石油ガス、ジメチルエーテル、イソペンタンのうち、少なくとも１種類を含有することを特徴とする請求項１の人体用エアゾール容器の押釦。
【発明の詳細な説明】
【技術分野】
【０００１】
本発明は、頭髪用品、人体用品、医薬品、その他の内容物を充填して人体等に噴射するための人体用のエアゾール容器用押釦に関するものである。
【背景技術】
【０００２】
従来より、人体の汗や臭いを抑えるための制汗消臭剤を充填した人体用のエアゾール容器が存在する。このようなエアゾール容器は、内部に充填した制汗消臭剤を人体の肌に噴射することにより、制汗消臭剤中の噴射剤の蒸発潜熱によって、使用者の肌の表面温度を下げ、清涼感を高めるものである。この噴射剤としては、圧縮ガスを除く液化石油ガス、ジメチルエーテル、イソペンタンなどが存在する。そして、より高い清涼感を得るために、エアゾール容器に充填するエアゾール内容物の噴射剤の量を増やしたり、イソペンタンのような揮発しにくい噴射剤を用いる方法が従来より採用されている。
【０００３】
しかし、噴射剤の量を増やすと、肌表面の一部から急激に気化熱が奪われるため、清涼感よりも「痛い」という感覚が強くなり、使用者にとっては使用感の悪いものとなるおそれがあった。また、イソペンタンを噴射剤として使用した場合、良好な清涼感を得るためには、イソペンタンをエアゾール内容物の噴射剤の全量に対して約３０％以上配合する必要があるため、コストが高くつくものとなっていた。
【０００４】
そこで、特許文献１に示す如く、噴射に伴う圧迫感や冷感を抑えることを目的としたエアゾール容器用の押釦が公知となっている。特許文献１に記載の押釦は、エアソール内容物の噴射孔の先端に、この噴射孔とは別体に形成した吐出部材を組み付けて成るものである。そして、前記吐出部材には、噴射方向に拡径した吐出孔を複数個形成し、この吐出孔から噴出するエアゾール内容物の噴射圧力を弱め、噴射に伴う圧迫感や冷感を抑えようとするものである。
【特許文献１】特開２００４−１６１３３９号公報
【発明の開示】
【発明が解決しようとする課題】
【０００５】
しかしながら、特許文献１に示すエアゾール容器用の押釦は、上記の如く吐出部材に、噴射方向に拡径した複数の吐出口を設けるとともに、この吐出部材を噴射孔に組み付けなければならないため、構造が複雑で製造に手間がかかり、製造コストが高くつくものとなっていた。
【０００６】
そこで、本発明は上述の如き課題を解決しようとするものであって、使用者に良好な清涼感を与えることができるとともに、製造容易且つ廉価なエアゾール容器用の押釦を得ようとするものである。
【課題を解決するための手段】
【０００７】
本発明は上述の如き課題を解決するため、エアゾール容器のステムと連通する連通路を設け、この連通路と連通するエアゾール内容物の噴射孔を、軸方向中央部に中子を設けることにより環状の筒状に形成し、連通路を介して噴射孔からエアゾール内容物を環状に分散して噴射可能としたものである。
【０００８】
また、連通路と噴射孔との連通は、連通路と噴射孔との間に１個の導入口を形成して行うものであっても良い。
【０００９】
また、連通路と噴射孔との連通は、連通路と噴射孔との間に少なくとも１個の導入口を形成して行うものであっても良い。
【００１０】
また、噴射孔は、内周面と中子の外周面との間隔を０．３ｍｍ〜１．０ｍｍとしたものであっても良い。
【００１１】
また、エアゾール内容物は、噴射剤として使用される、液化石油ガス、ジメチルエーテル、イソペンタンのうち、少なくとも１種類を含有するものであっても良い。
【発明の効果】
【００１２】
本発明は上述の如く構成したものであって、噴射孔を環状の筒状に形成し、この噴射孔からエアゾール内容物を環状に分散して噴射可能とすることにより、使用者に良好な清涼感を与えることを可能とするとともに、簡易な構成で製造容易且つ廉価なエアゾール容器用の押釦を得ることができる。
【実施例１】
【００１３】
以下、本発明の実施例１を図１及び図２に於いて説明すると、図１に示す如く、(１)は押釦であって、上面に、使用者の手指を載置して押圧するための波形の押圧部(２)を設けている。また、内側中央に、エアゾール容器のステム(図示せず)と連通する連通路(３)を設けている。そして、この連通路(３)と垂直方向に、エアゾール内容物を噴射する噴射孔(５)を設けている。この噴射孔(５)は、基端側を連通路(３)と連通するとともに、先端側を外部と連通している。
【００１４】
また、上記噴射孔(５)の軸方向中央部には、内周壁(６)と一定の間隔を介して円柱状の中子(７)を設けている。この中子(７)は、噴射孔(５)の一端側から他端側まで設けられており、先端を連通路(３)から外方に突出させている。このように、噴射孔(５)の中央部に中子(７)を配置することにより、図１及び図２に示す如く、噴射孔(５)は環状の筒状に形成されるものとなる。そして、本実施例１では、この噴射孔(５)の内周面(６)と中子(７)の外周面(１０)との形成間隔を０．５ｍｍとしている。
【００１５】
尚、噴射孔(５)の内周面(６)と中子(７)の外周面(１０)との形成間隔は、０．３ｍｍ〜１．０ｍｍとするのが好ましい。尚、０．３ｍｍ未満では、金型の製作が難しいため製造が困難となり、１．０ｍｍより大きければ、噴射圧力等の影響によって噴射孔(５)内にエアゾール内容物が残留しやすくなり、液だれが生じやすいものとなる。
【００１６】
また、図２に示す如く、噴射孔(５)と連通路(３)との間には、噴射孔(５)と連通路(３)とを連通する導入口(１１)を１箇所貫通形成している。この導入口(１１)は、図２に示す如く略正方形の場合を示し、縦０．５ｍｍ、横０．５ｍｍとしている。このように、本発明の押釦(１)は、噴射孔(５)を環状の筒状に形成したものであって、簡易な構成としているため、煩雑な作業や特別な技術を必要とすることなく、製造容易で廉価な製品を得ることができる。
【００１７】
上記の如く形成したものにおいて、手指で押釦(１)の押圧部(２)を押圧すると、連通路(３)に連通しているステムが押し下げられて、エアゾール容器内のバルブ機構(図示せず)が開弁する。これにより、エアゾール容器内に収納していたエアゾール内容物は、ステムから連通路(３)、導入口(１１)を介して噴射孔(５)から外部に噴射される。この時、上記の如く噴射孔(５)を環状の筒状に形成しているため、エアゾール内容物は、この噴射孔(５)から環状に噴射されるものとなる。従って、エアゾール内容物が中央に集中しにくいものとなり、肌に噴射した際に痛みを感じることが少なく、良好な清涼感を得ることが可能となる。
【００１８】
ここで、本実施例１について、エアゾール噴射時における清涼感についての官能評価実験を行った。そして、この官能評価実験の比較例として、従来より一般的に使用されている押釦(２０)を用いた。即ち、比較例１は、図７に示す如く、本実施例１と同様に押釦(２０)に押圧部(２１)、連通路(２２)を設けており、この連通路(２２)と垂直方向に円筒状の噴射孔(２３)を形成している。
【００１９】
そして、この噴射孔(２３)の直径を０．５ｍｍとした。また、比較例２及び比較例３は、前記比較例１と同様に、押釦(２０)に押圧部(２１)、連通路(２２)、噴射孔(２３)を設けるとともに、図８に示す如く、この噴射孔(２３)の先端側をテーパ状とするとともに、基端側を筒状に形成している。また、比較例２では、噴射孔(２３)の先端の直径を０．５ｍｍとし、比較例３では０．６ｍｍとした。また、この官能評価実験では、噴射剤として液化石油ガスを使用した。また、本実施例１及び比較例１〜３は、エアゾール内容物を以下の処方例１にて調整した。
【００２０】
本実施例１及び比較例１〜３のエアゾール内容物の処方例１を以下に示す。
＜処方例１＞
原液
クロルヒドロキシアルミニウム                  ２５．０％
イソプロピルメチルフェノール                    ０．１％
無水ケイ酸                                      ５．０％
マグネシアシリカ                              １５．０％
ミリスチン酸イソプロピル                          残  部
メチルポリシロキサン                            ５．０％
トリイソステアリン酸POEグリセリル(20)        １５．０％
香料                                            １．０％
合計                                            １００％
原液／液化石油ガス  比率                        １０／９０
【００２１】
この官能評価実験は、男性５名、女性２名の合計７名の被験者を対象に行った。まず、各被験者の腋から１５ｃｍ離した位置から、エアゾール内容物を１秒間噴射した。そして、エアゾール内容物を腋に噴射した際の清涼感について、評価尺度を７点：清涼感が極めて強い、６点：清涼感が強い、５点：清涼感をはっきり感じる、４点：清涼感が弱い、３点：清涼感がやや弱い、２点：清涼感が極めて弱い、１点：全く清涼と感じない、という評価で、各被験者が、本実施例１及び比較例１〜３を使用した場合の清涼感について、それぞれ評価した。そして、各被験者の評価点数を集計して、実施例１及び比較例１〜３について、それぞれ平均値を算出した。この評価結果について表１に示す。
【００２２】
【表１】
2007330861.tif 000003
【００２３】
表１に示す如く、本実施例１の清涼感は６．２であり、比較例１〜３のものと比較して約２倍高い値を示した。この結果より、本実施例１は従来の押釦(２０)と比較して、より高い清涼感を得ることができることが確認できた。
【００２４】
上記処方例１では、エアゾール内容物の噴射剤として液化石油ガスを使用しているが、噴射剤として液化石油ガスを使用するとともに、イソペンタンを配合した場合の清涼感の官能評価実験についても行った。この実験では、実施例１のエアゾール容器用の押釦(１)を用いるとともに、エアゾール内容物を以下の処方例２〜５にて調整したものを使用した。
【００２５】
尚、以下の処方例２〜５において、原液については上記処方例１と同じ配合で調整するとともに、噴射剤として液化石油ガスとイソペンタンを使用し、原液と噴射剤との比率を１０／９０とした。
以下に各処方例における噴射剤全量／イソペンタンの比率を示す。
＜処方例２＞
噴射剤全量／イソペンタン  比率                    ７０／３０
＜処方例３＞
噴射剤全量／イソペンタン  比率                    ８０／２０
＜処方例４＞
噴射剤全量／イソペンタン  比率                    ９０／１０
＜処方例５＞
噴射剤全量／イソペンタン  比率                    １００／０
【００２６】
また、本実験の比較例として、図７に示す比較例１の押釦(２０)を使用するとともに、エアゾール内容物を上記処方例２〜５にて調整したものを使用した。そして、実施例１及び比較例１の各処方例２〜５における清涼感について、上記処方例１の実験と同様の実験を行い、評価点数を算出した。
【００２７】
この官能評価実験は、男性８名、女性４名の合計１２名の被験者を対象に行った。まず、各被験者の腋から１５ｃｍ離した位置から、エアゾール内容物を１秒間噴射した。そして、エアゾール内容物を腋に噴射した際の清涼感について、清涼感を感じる順に１位〜８位まで順位を付け、更にこの順位に基づき、清涼感を最も感じるものを１点、清涼感を最も感じないものを８点として、これを基準に１点〜８点の間で点数を付けるという方法で、各被験者が、処方例２〜５をエアゾール内容物とした実施例１及び比較例１を使用した場合の清涼感について、それぞれ評価した。そして、各被験者の評価点数を集計し、それぞれ平均値を算出した。この評価結果について表２に示す。
【００２８】
【表２】
2007330861.tif 000004
【００２９】
上記結果より、実施例１の処方例２〜５の平均値は、比較例１の処方例２〜５の平均値よりも約半分〜３分の１程度の低い値となった。従って、実施例１の処方例２〜５における清涼感は、比較例１の処方例２〜５における清涼感よりも全て良好なものとなることが実証された。特に、実施例１に於いて、イソペンタンを全く使用しなかった処方例５の清涼感は、イソペンタンを噴射剤全量の３０％配合した比較例１の処方例２のものよりも明らかに良好であることが確認された。
【００３０】
また、実施例１では、処方例２〜５に於いて、イソペンタンの配合量に依存せず、常に良好な清涼感を得ることができることが明かとなった。一方、比較例１において、処方例２〜５のうち、処方例２の値が他の処方例と比較して大きく減少していることから、イソペンタンは、噴射剤全量のうち３０％以上配合しなければ、清涼感を向上させることは困難であることが実証された。
【００３１】
従って、本発明の押釦(１)を使用することにより、イソペンタンのような揮発しにくい噴射剤を使用しないか、又は量を減らした場合でも、従来の押釦(２０)を使用したものに比べて良好な清涼感を得ることができることが明かとなった。そのため、良好な清涼感を得るための、高価で特別な噴射剤を使用する必要がなく、又は、配合量を減らすことも可能と考えられるため、製品を廉価なものとすることが可能となる。
【実施例２】
【００３２】
また、前記実施例１では、連通路(３)と噴射孔(５)とを連通する導入口(１１)を１箇所のみ形成しているが、本発明の実施例２では、図３及び図４に示す如く、導入口(１１)を１８０度対称に２箇所形成している。このように、導入口(１１)を等間隔に２箇所形成配置することにより、噴射孔(５)からエアゾール内容物をバランス良く噴射させることが可能となる。
【実施例３】
【００３３】
また、前記実施例２では、導入口(１１)を２箇所形成しているが、本発明の実施例３では、図５及び図６に示す如く、導入口(１１)を等間隔に３箇所形成している。本実施例３も前記実施例２と同様に、導入口(１１)を等間隔に形成配置しているため、噴射孔(５)からエアゾール内容物をバランス良く噴射させることができる。
【００３４】
尚、本実施例３及び上記実施例１、２では、噴射剤として液化石油ガス及びイソペンタンを使用しているが、他の異なる実施例では、噴射剤として液化石油ガス、イソペンタン、ジメチルエーテルのうち、少なくとも１種類を含有したものを使用することも可能である。
【図面の簡単な説明】
【００３５】
【図１】本発明の実施例１を示す押釦の断面図。
【図２】実施例１の噴射孔の正面図。
【図３】本発明の実施例２を示す押釦の断面図。
【図４】実施例２の噴射孔の正面図。
【図５】本発明の実施例３を示す押釦の断面図。
【図６】実施例３の噴射孔の正面図。
【図７】比較例１及び比較例４の押釦の断面図。
【図８】比較例２及び比較例３の押釦の断面図。
【符号の説明】
【００３６】
３  連通路
５  噴射孔
６  内周面
７  中子
１０  外周面
１１  導入口
【図１】
2007330861.tif 000005
【図２】
2007330861.tif 000006
【図３】
2007330861.tif 000007
【図４】
2007330861.tif 000008
【図５】
2007330861.tif 000009
【図６】
2007330861.tif 000010
【図７】
2007330861.tif 000011
【図８】
2007330861.tif 000012